(57)【要約】【課題】瓦を固定するための穴が防水シートに開いてしまうのを防止し、且つ、格別な瓦止め具を使用せずに地震や風等の外力によって瓦が動いたり浮上してしまうのを確実に防止することができる瓦係止桟を提供する。【解決手段】屋根２０の野地板２１上面２３Ａに瓦２３を係止するための瓦係止桟１０であって、瓦係止桟１０は、弾性を有して屋根２０の軒２０Ａに対し略平行に延在して設けられる。瓦係止桟１０には瓦２３の一側２４Ａより下方に突出した係止突部２５が係合する保持部１２を設ける。瓦係止桟１０には保持部１２に係止突部２５が係合した状態で、当該瓦２３の一側２４Ａ上面２３Ａを押さえる押さえ部１４を設ける。【選択図】      図１
2004346696.tif 000002
【特許請求の範囲】
【請求項１】
屋根の野地板上面に瓦を係止するための瓦係止桟であって、
弾性を有して前記屋根の軒に対し略平行に延在して設けられると共に、
前記瓦の一側より下方に突出した係止突部が係合する保持部と、
該保持部に前記係止突部が係合した状態で、当該瓦の一側上面を押さえる押さえ部とを備えたことを特徴とする瓦係止桟。
【請求項２】
弾性を有する板材の折曲形成により前記保持部と押さえ部を構成したことを特徴とする請求項１の瓦係止桟。
【請求項３】
前記押さえ部の寸法を前記保持部の寸法より小さくしたことを特徴とする請求項１又は請求項２の瓦係止桟。
【発明の詳細な説明】
【０００１】
【発明の属する技術分野】
本発明は、屋根の野地板上面に瓦を係止するための瓦係止桟に関するものである。
【０００２】
【従来の技術】
従来よりこの種瓦係止桟は、木材にて構成され屋根の下地材である野地板の上面に、屋根の上縁から下縁方向に瓦長さの幅で所定の間隔で配設し釘で打ち付けられる。そして、瓦の一側部下面側に突出した係止部を瓦係止桟に引掛けながら順次瓦を葺いていた。瓦係止桟に引掛けて葺いた瓦が風や振動などによって動いたり吹き飛ばされたりしてしまうのを防止するため、予め瓦に設けられた釘穴に釘を打ち付けて瓦係止桟に瓦を固定していた。これにより、風や振動などで瓦が動いたり吹き飛ばされてしまうのを防止していた。
【０００３】
しかし、瓦に設けられた釘穴に釘を打ち付けて瓦係止桟に瓦を固定するためには、一方の手で釘を持ち他方の手でハンマーを持たなければならない。このため、瓦葺きの施工作業は極めて煩雑であった。そこで、釘を使用しなくても瓦が浮いたり吹き飛ばされてしまうのを防止することができる瓦止め具が特許文献１に示されている。この文献によれば、一本の針金を曲成して瓦止め具を作製している。そして、この瓦止め具の上端外側に形成した係止部を瓦の縁部に係止すると共に、瓦止め具の下端に張設した釘部を瓦係止桟の側面に打ち込んでいる。
【０００４】
これにより、釘を使用せずに瓦を瓦係止桟に固定して大風等による瓦の浮き上がりを未然に防止していた。また、瓦止め具で瓦の縁部に係止することで、瓦止め具を装着する際に野地板やルーフィング等を破損することなく瓦を葺いて、雨漏りや家屋の腐食等を防止していた。
【０００５】
【特許文献１】
特開平９−１３７５５１号公報（Ｅ０４Ｄ１／３４）。
【０００６】
【発明が解決しようとする課題】
しかしながら、一本の針金を曲成して作製した瓦止め具は上端外側に形成した係止部を瓦の縁部に係止するのは容易に行えるが、瓦止め具の下端に張設した釘部を瓦係止桟の側面側から打ち込んで固定する作業は極めて困難であった。このため、瓦止め具の固定に手間がかかり、強いては瓦葺きコストが高騰してしまう問題があった。
【０００７】
本発明は、係る従来技術の課題を解決するために成されたものであり、瓦を固定するための穴が防水シートに開いてしまうのを防止し、且つ、格別な瓦止め具を使用せずに地震や風等の外力によって瓦が動いたり浮上してしまうのを確実に防止することができる瓦係止桟を提供することを目的とする。
【０００８】
【課題を解決するための手段】
即ち、本発明の瓦係止桟は、屋根の野地板上面に瓦を係止するためのものであって、弾性を有して屋根の軒に対し略平行に延在して設けられると共に、瓦の一側より下方に突出した係止突部が係合する保持部と、この保持部に係止突部が係合した状態で、当該瓦の一側上面を押さえる押さえ部とを備えたことを特徴とする。
【０００９】
また、請求項２の発明の瓦係止桟は、上記において、弾性を有する板材の折曲形成により保持部と押さえ部を構成したことを特徴とする。
【００１０】
また、請求項３の発明の瓦係止桟は、請求項１又は請求項２において、押さえ部の寸法を保持部の寸法より小さくしたことを特徴とする。
【００１１】
【発明の実施の形態】
次に、図面に基づき本発明の実施形態を詳述する。図１は本発明の瓦係止桟１０を野地板２１上面に固定した状態を示す屋根２０の斜視図、図２は本発明の瓦係止桟１０の斜視図、図３は本発明の瓦係止桟１０の側面図をそれぞれ示している。瓦係止桟１０は、屋根２０の野地板２１上面に固定されて瓦２３を係止するためのもので、屋根２０の軒２０Ａに対し略平行に設けられ軒２０Ａの一側端部から他側端部まで延在している。
【００１２】
該瓦係止桟１０は、後述する瓦２３の本体２４一側２４Ａ下方に突出した係止突部２５が係合する保持部１２と、係止突部２５の上面を押さえる押さえ部１４とから構成されている（図２、図３）。この瓦係止桟１０は、例えばステンレス板、或いは、リンセイ銅板などの容易に錆びない弾性を有する金属板材にて構成されると共に、保持部１２と係止突部２５は折曲された金属板材にて一体に構成されている。
【００１３】
また、保持部１２は、屋根２０構造体を構成する下地材としての野地板２１に固定される底片１２Ｂと、この底片１２Ｂの一側が折り曲げられて立設された後片１２Ｃと、底片１２Ｂの他側が折り曲げられて立設された前片１２Ａとから断面略コ字状に形成されている。尚、底片１２Ｂには図示しないが底片１２Ｂを野地板２１に固定するための釘穴が設けられている。
【００１４】
前片１２Ａと後片１２Ｃとの間隔は、係止突部２５の厚さと略同等の幅にて構成されており、これによって前片１２Ａと後片１２Ｃとの間に瓦２３の係止突部２５をガタ付き無く係合できるように構成されている。この前片１２Ａは、保持部１２にて係止突部２５を保持した状態で、瓦２３の本体２４下面２３Ｂに当接しない短い寸法に構成されている。
【００１５】
また、後片１２Ｃは、保持部１２にて係止突部２５を保持した状態で、瓦２３の本体２４上面まで延在している。この後片１２Ｃ上端には前記押さえ部１４が設けられている。該押さえ部１４は、後片１２Ｃ上端が折り曲げられて瓦２３の他側方向に延在すると共に、底片１２Ｂと略平行に延在している。該押さえ部１４は先端までの長さを底片１２Ｂの約半分の長さとされている。即ち、押さえ部１４の長さ寸法は保持部１２（底片１２Ｂ）の寸法より小さい寸法に構成されている。
【００１６】
ここで、瓦２３は一般的に平瓦と称され雨が流れる上面２３Ａが略平面に形成されているもので、略矩形状の本体２４を有している。そして、瓦２３の上面を流れる雨の上流側を一側２４Ａ、下流側を他側２４Ｂとすると、本体２４一側２４Ａに係止突部２５が設けられている。この係止突部２５は本体２４の下方に所定距離突出して設けられると共に、係止突部２５は本体２４の一側２４Ａから他側２４Ｂ方向に対して直交する方向に所定の長さ延在している。該係止突部２５は本体２４一側２４Ａの幅方向の略中央に設けられている。尚、２６は従来の木材にて構成された瓦係止桟に釘を打ち付けて瓦２３を固定するための釘穴である。
【００１７】
そして、前述のように構成された瓦係止桟１０は、図６に示すように、屋根２０構造体を構成する屋根２０用の下地材としての野地板２１（この場合野地板２１上面には図示しない防水シートが設けられている）上面に、軒２０Ａに対し略平行に配置される。瓦係止桟１０は、屋根２０の雨の流れ方向に葺き上げすべき瓦２３に対して所定の間隔を存して敷設される。
【００１８】
この場合瓦係止桟１０は、保持部１２の前片１２Ａを軒２０Ａ側、後片１２Ｃを軒２０Ａと反対側に位置して敷設される。そして、保持部１２の底片１２Ｂに設けた図示しない釘穴に釘２７が打ち付けられ、瓦係止桟１０は野地板２１上面に固定される（図７）。このとき、押さえ部１４の寸法を底片１２Ｂの寸法より小さい寸法に構成しているので、押さえ部１４が殆ど邪魔にならずに底片１２Ｂの釘穴に釘２７を打ち付けることができる。
【００１９】
次ぎに、瓦係止桟１０に瓦２３を係合させる。この場合、瓦２３の本体２４一側２４Ａに設けられた係止突部２５を瓦係止桟１０の保持部１２に係合させることになるが、まず、瓦２３の一側２４Ａ端面で押さえ部１４を前片１２Ａの離間側方向に押す。これによって、押さえ部１４は前片１２Ａの離間側方向に弾性変形する（図８矢印）。この場合、弾性を有する金属板材にて瓦係止桟１０を構成しているので、押さえ部１４を容易に弾性変形させることができる。また、後片１２Ｃは前片１２Ａとの間隔を係止突部２５を挿入できる寸法以上大きく弾性変形させないように注意する必要がある。
【００２０】
そして、前片１２Ａの上端と後片１２Ｃとの隙間が係止突部２５を挿入できる幅まで開いたら、係止突部２５を前片１２Ａと後片１２Ｃとの隙間に挿入する。これによって、瓦係止桟１０の保持部１２に瓦２３の係止突部２５が係合し、押さえ部１４は本体２４の上面２３Ａ側に位置する。前片１２Ａの離間側方向に弾性変形していた押さえ部１４が本体２４の上面２３Ａ側に位置すると、押さえ部１４は本体２４の他側２４Ｂ方向に弾性復帰する（図９）。これにより、瓦２３本体２４の一側２４Ａ上面２３Ａを押さえ部１４で押さえることができるので、瓦２３が振動や風等の外力によって動いてしまうのを確実に防止することができる。
【００２１】
そして、瓦係止桟１０の保持部１２に瓦２３の係止突部２５が係合され、瓦２３の一側２４Ａ上面２３Ａ（この場合、瓦２３の係止突部２５の本体２４上面２３Ａ）が押さえ部１４にて押さえられる瓦２３葺きが行われる。この瓦２３の一側２４Ａ下面（係止突部２５）は、瓦係止桟１０の保持部１２で瓦２３の一側２４Ａ方向と他側２４Ｂ方向への移動が阻止されるので、地震や風等の外力によって瓦２３が動いてしまうのを確実に防止することができる。
【００２２】
そして、野地板２１上面には軒２０Ａ側から雨の流れる上流側方向に瓦２３葺きが行われる（図１０）。この場合瓦２３は、係止突部２５が瓦係止桟１０の保持部１２に係合されることにより位置決めされるので、瓦２３葺き作業に不慣れな施工者でも葺いた瓦２３にズレが発生することもなく、信頼性の高い瓦２３葺きを行うことができる。
【００２３】
また、瓦係止桟１０は軒２０Ａの一側端部から他側端部まで延在させているので、瓦係止桟１０の保持部１２に係合した瓦２３を瓦係止桟１０の延在方向に自由に移動させることができる。これにより、野地板２１上面に軒２０Ａ側から雨の流れる上流側方向に葺いた瓦２３の位置がずれてしまった場合などでも瓦２３を瓦係止桟１０の延在方向に動かして修正することができるので、瓦２３葺き作業に不慣れな施工者でも極めて整然と瓦２３を葺くことができる。
【００２４】
このように、弾性を有する瓦係止桟１０に、瓦２３の一側２４Ａより下方に突出した係止突部２５が係合する保持部１２と、この保持部１２に係止突部２５が係合した状態で、当該瓦２３の一側２４Ａ上面２３Ａを押さえる押さえ部１４とを備えているので、従来のように瓦２３が動いてしまうのを防止するため瓦２３に設けられた釘穴２６に釘を打ち付けて瓦係止桟１０に瓦２３を固定したり、或いは、針金を曲成して作製した瓦止め具などを瓦係止桟１０に打ち付けて瓦２３を固定しなくても瓦係止桟１０で瓦２３の係止突部２５を包み込むように保持し固定することが可能になる。
【００２５】
これにより、従来のように瓦２３に釘を打ち付けて固定しなくても瓦係止桟１０で瓦２３を保持し固定することができるので、屋根２０の野地板２１上面に設けた防水シートに瓦２３を固定するための釘の穴が開いてしまうのを防止することができるようになり、然も、複数の瓦２３を位置ずれなく平行に保持固定することができるようになる。
【００２６】
また、瓦係止桟１０で瓦２３の係止突部２５を包み込むように保持することができるので、従来のように瓦２３の交換時抜いた釘によって開いた防水シートの穴から雨水や塵埃が家屋内に侵入して家屋が腐食等をしてしまうのを防止することが可能となる。また、瓦係止桟１０で瓦２３の係止突部２５を保持固定しているので、瓦２３の浮き及びズレを防止することが可能になる。これにより、地震や風等の外力によって瓦２３が動いたり浮上してしまうのを確実に防止することができるようになる。
【００２７】
また、瓦係止桟１０は弾性を有する金属板材にて構成しているので、瓦係止桟１０の保持部１２を所定寸法弾性変形させるだけで瓦２３の着脱を容易に行うことができる。また、瞬間的に瓦２３に大荷重が加わった場合その荷重を瓦係止桟１０の弾性変形で吸収することが可能となる。従って、野地板２１に大きな荷重が加わって、野地板２１が破損してしまうなどの不都合を未然に防止することが可能となる。
【００２８】
特に、従来のように瓦２３に設けられた釘穴に釘を打ち付けて瓦２３を固定する必要もなくなるので、瓦２０葺きの施工作業を大幅に向上させることが可能となり、瓦２３葺きの施工コストを極めて低減させることができる。これにより、瓦２３が割れた場合などでも瓦２３を容易に交換することが可能となる。また、瓦２３を瓦係止桟１０の保持部１２に係合するだけで瓦２３は瓦係止桟１０に強固に保持することができるので、瓦２３の浮き及びズレが地震や風等の外力に強くなり、然も、瓦係止桟１０はその上に葺いた瓦２３で隠すことができるので、瓦係止桟１０が表から見えて美観を損ねてしまうのを防止することができるようになる。
【００２９】
また、瓦係止桟１０は弾性を有する金属板材の折曲形成により保持部１２と押さえ部１４を構成しているので、瓦２３で押さえ部１４を押して弾性変形させるだけで瓦２３の係止突部２５を保持部１２に係合させることができる。これにより、施工者による瓦２３葺き作業のバラツキも解消でき、瓦２３葺き施工精度を大幅に向上させることができる。従って、瓦２３葺き作業に不慣れな施工者でも葺いた瓦２３のズレによる雨漏りなどを防止することができ、信頼性の高い瓦２３葺きを行うことができるようになる。
【００３０】
また、押さえ部１４の寸法を保持部１２の寸法より小さくしているので、瓦２３で押さえ部１４を押して係止突部２５を保持部１２に係合させる際、瓦２３の係止突部２５の弾性変形寸法を小さくすることが可能となる。これにより、押さえ部１４が押されすぎて変形してしまうのを未然に防止することができるので、後片１２Ｃ（瓦係止桟１０）が必要以上に変形してしまうのを防止することができる。また、瓦係止桟１０で瓦２３を確実且つ強固に保持することができるので、地震や風等の外力によって瓦２３が動いて雨漏りしてしまうのを確実に防止することができるようになる。
【００３１】
尚、実施例では、瓦係止桟１０を屋根２０の軒２０Ａに対し略平行に一側端部から他側方向端部まで延在させたが、瓦係止桟１０の長さはこれに限らず、軒２０Ａに対し略平行に一側から他側方向全体を所定の長さで分割し、接続して使用しても差し支えない。
【００３２】
また、瓦係止桟１０を弾性を有する金属板材にて構成したが、瓦係止桟１０は金属板材に限らず弾性を有する合成樹脂の成形品などで構成しても本発明は有効である。
【００３３】
【発明の効果】
以上詳述した如く本発明によれば、屋根の野地板上面に瓦を係止するための瓦係止桟であって、弾性を有して屋根の軒に対し略平行に延在して設けられると共に、瓦の一側より下方に突出した係止突部が係合する保持部と、この保持部に係止突部が係合した状態で、当該瓦の一側上面を押さえる押さえ部とを備えたので、例えば従来のように瓦が動いてしまうのを防止するため瓦に設けられた釘穴に釘を打ち付けて瓦係止桟に瓦を固定したり、或いは、針金を曲成して作製した瓦止め具を瓦係止桟に打ち付けて瓦を固定しなくても瓦係止桟で瓦の係止突部を包み込むように保持することが可能になる。これにより、屋根の野地板上面に設けた防水シートに瓦を固定するための釘の穴が開いてしまうのを防止することができ、然も、複数の瓦の位置ズレもなく平行に保持固定することができるようになる。
【００３４】
また、瓦係止桟で瓦の係止突部を包み込むように保持しているので、例えば従来のように瓦の交換で抜いた釘によって開いた防水シートの穴から雨水や塵埃が家屋内に侵入し、これによって家屋が腐食等をしてしまうのを防止することが可能となる。また、瓦係止桟で瓦の係止突部を保持し、押さえ部で瓦の一側上面を押さえているので、浮き及びズレなどにより瓦が脱落してしまうのを防止することが可能になると共に、地震や風等の外力によって瓦が動いたり浮上してしまうのを確実に防止することができるようになる。
【００３５】
特に、弾性を有する板材を折曲形成することにより瓦係止桟を構成しているので、保持部を弾性変形させるだけで瓦の着脱を容易に行うことができる。これにより、瞬間的に瓦に大荷重が加わった場合でもその荷重を瓦係止桟の弾性変形で吸収することが可能となるので、野地板に大きな荷重が加わって、野地板が破損してしまうなどの不都合を未然に防止することが可能となる。また、瓦に釘を打たくてもよいので瓦が割れた場合などでも瓦を容易に交換することができる。これにより、瓦葺き及び瓦交換作業を極めて向上させることが可能となり、瓦葺きコストを大幅に低減させることができるようになる。また、瓦を瓦係止桟の保持部に係合するだけで瓦を瓦係止桟に強固に保持固定することができるので、葺いた瓦を地震や風等の外力に強くすることができる。更に、瓦係止桟はその上に葺いた瓦で隠蔽することができるので、瓦係止桟が表から見えて美観を損ねてしまうのを防止することができ、瓦係止桟の実用効果大なるものである。
【００３６】
また、請求項２の発明によれば、上記において、弾性を有する板材の折曲形成により保持部と押さえ部を構成したので、瓦で押さえ部を押して弾性変形させるだけで瓦の係止突部を保持部に係合させることができる。これにより、施工者による瓦葺き作業のバラツキも解消することができ、瓦葺き施工精度を大幅に向上させることが可能となる。従って、瓦葺き作業に不慣れな施工者でも葺いた瓦のズレによる雨漏りなどを防止することができて、信頼性の高い瓦葺きを行うことができるようになるものである。
【００３７】
また、請求項３の発明によれば、請求項１又は請求項２において、押さえ部の寸法を保持部の寸法より小さくしたので、瓦の係止突部を保持部に係合する際、押さえ部の弾性変形寸法を小さくすることが可能となる。これにより、押さえ部が押されすぎて変形してしまうのを未然に防止することができるようになる。従って、瓦係止桟で瓦を確実且つ強固に保持することができるので、地震や風等の外力によって瓦が動いて雨漏りしてしまうのを確実に防止することができるようになるものである。
【図面の簡単な説明】
【図１】本発明の瓦係止桟を野地板上面に固定した状態を示す屋根の斜視図である。
【図２】本発明の瓦係止桟の斜視図である。
【図３】本発明の瓦係止桟の側面図である。
【図４】本発明の瓦係止桟に係合された瓦の斜視図である。
【図５】同図４の瓦の側面図である。
【図６】屋根の野地板上面に固定した瓦係止桟の側面図である。
【図７】釘を打ち付けた状態を示す瓦係止桟の側面図である。
【図８】保持部に瓦の係止突部が係合する過程の瓦係止桟の側面図である。
【図９】瓦の係止突部に保持部が係合され、瓦の一側上面が押さえ部で押さえられた瓦係止桟の側面図である。
【図１０】瓦係止桟を用いて瓦を葺いた屋根の拡大図である。
【符号の説明】
１０  瓦係止桟
１２  保持部
１２Ａ  前辺
１２Ｂ  底辺
１２Ｃ  後辺
１４  押さえ部
２０  屋根
２０Ａ  軒
２１  野地板
２３  瓦
２３Ａ  上面
２４  本体
２４Ａ  一側
２４Ｂ  他側
２５  係止突部
【図１】
2004346696.tif 000003
【図２】
2004346696.tif 000004
【図３】
2004346696.tif 000005
【図４】
2004346696.tif 000006
【図５】
2004346696.tif 000007
【図６】
2004346696.tif 000008
【図７】
2004346696.tif 000009
【図８】
2004346696.tif 000010
【図９】
2004346696.tif 000011
【図１０】
2004346696.tif 000012